(57)【要約】【課題】使用者の要望に応じて簡便に光の強さを調整する。【解決手段】発毛の抑制あるいは促進のための光を皮膚に対して照射する投光部１と、該投光部１から投光された光による被照射面における単位面積当たりの照射光量を増加または減少させる光学的光量調節手段２とを備える。【選択図】図１
2010125224.tif 000002
【特許請求の範囲】
【請求項１】
発毛の抑制あるいは促進のための光を皮膚に対して照射する投光部と、該投光部から投光された光による被照射面における単位面積当たりの照射光量を増加または減少させる光学的光量調節手段とを備えていることを特徴とする発毛調整光照射装置。
【請求項２】
上記光量調節手段は投光部に対して着脱自在とされたものであることを特徴とする請求項１記載の発毛調整光照射装置。
【請求項３】
上記光量調節手段は投光部が備える集光レンズとの間隔が可変であり且つ該間隔の変更で位置変更で被照射面における単位面積当たりの照射光量を増加または減少させるものであることを特徴とする請求項１または２記載の発毛調整光照射装置。
【請求項４】
上記光量調節手段は凸レンズであることを特徴とする請求項１〜３のいずれか１項に記載の発毛調整光照射装置。
【請求項５】
上記光量調節手段は凹レンズであることを特徴とする請求項１〜３のいずれか１項に記載の発毛調整光照射装置。
【請求項６】
上記光量調節手段は減光部材であることを特徴とする請求項２記載の発毛調整光照射装置。
【発明の詳細な説明】
【技術分野】
【０００１】
本発明は、発毛の抑制あるいは促進のための光を皮膚に対して照射する発毛調整光照射装置に関するものである。
【背景技術】
【０００２】
レーザー光によって脱毛を行うもの（例えば特開２００１−２５２１２８号公報）は従来から提供されているが、この他、キセノンフラッシュランプなどを光源とする投光部から照射した光を皮膚に照射することで、光を照射した部分の発毛を抑制したり促進したりすることができるということが明らかになったことから、この発毛調整光を照射する発毛調整光照射装置が提案されている。
【０００３】
しかし従来の発毛調整光照射装置においては、キセノンフラッシュランプからなる光源からの光を皮膚に照射する際に光が使用者の目に入ることがないようにするために、開口部を備えたハウジング内に上記光源を納めて、使用に際してはハウジングの開口縁を皮膚に押し当てて上記光源を発光させるものとなっている。このために光源から皮膚までの距離は常に一定であり、しかも光源はその発光量をほぼ一定に保つように構成されていたことから、皮膚（被照射面）における単位面積当たりの照射光量も、ほぼ一定となっている。
【０００４】
しかし、光に対しての感受性や皮膚の吸光度等の個人差、同じ使用者でも被照射面の部位の皮膚特性の違いなどにより、同じパワーの光を照射しても効果が出ない場合や、光が強すぎて熱く感じてしまう場合がある。
【特許文献１】特開２００１−２５２１２８号公報
【発明の開示】
【発明が解決しようとする課題】
【０００５】
本発明は上記の従来の問題点に鑑みて発明したものであって、使用者の要望に応じて簡便に光の強さを調整することができる発毛調整光照射装置を提供することを課題とするものである。
【課題を解決するための手段】
【０００６】
上記課題を解決するために本発明に係る発毛調整光照射装置は、発毛の抑制あるいは促進のための光を皮膚に対して照射する投光部と、該投光部から投光された光による被照射面における単位面積当たりの照射光量を増加または減少させる光学的光量調節手段とを備えていることに特徴を有している。
【０００７】
上記光量調節手段は投光部に対して着脱自在とされたものを好適に用いることができるほか、投光部が備える集光レンズとの間隔が可変であり且つ該間隔の変更で位置変更で被照射面における単位面積当たりの照射光量を増加または減少させるものを好適に用いることができる。
【０００８】
そして上記光量調節手段には凸レンズ、凹レンズ、あるいは減光部材を用いることができる。
【発明の効果】
【０００９】
本発明によれば、光学的光量調整手段により、被照射面における単位面積当たりの光の照射量を変更することができるために、光の強さを簡便に調整することができるものであり、このために使用者に応じた効果的な強さの光を照射することができる。
【発明を実施するための最良の形態】
【００１０】
以下、本発明を添付図面に示す実施形態に基づいて説明すると、図１は本発明における発毛調整光照射装置における投光部１を示しており、該投光部１は、一端面が開口する角筒状のハウジング１０内にキセノンフラッシュランプである光源１１と反射板１２、そして凸フレネルレンズで形成した集光用レンズ１３を納めたものとして形成されている。なお、発毛調整光照射装置そのものは、該投光部１に加えて、電源部、発光制御部などを備えたものとなっている。
【００１１】
そして上記投光部１に対して着脱自在となっている光量調節部材２を備えている。該光量調節部材２は、角筒状で上記投光部１のハウジング１０の先端開口部内に着脱自在となっている枠２０と、この枠２０内に配した凸フレネルレンズからなる集光用レンズ２１とからなるもので、枠２０の一端側に寄ったところに集光用レンズ２１が取り付けられている。
【００１２】
上記発毛調整光照射装置は、その使用に際しては、ハウジング１０の開口縁を皮膚に押し当て、この状態で光源１１を間欠的に発光させることでハウジング１０で覆われた部分の皮膚に光を照射するものであり、集光用レンズ１３は平行光を照射するために、被照射面（皮膚）における光が照射される部分の面積Ｓは、ハウジング１０の開口面積にほぼ等しいものとなっている。
【００１３】
しかし、上記光量調節部材２をハウジング１０の開口内に嵌め込み、この状態で光源１１を発光させたならば、図２に示すように、集光用レンズ２１が更に光を集光させるために、被照射面における照射面積Ｓが小さくなる。この場合、単位面積当たりの照射光量が増えるために、光量調節部材２を取り付けていない場合に比して、強い光が照射されることになる。
【００１４】
また、光量調節部材２のハウジング１０への嵌め込みを図２(b)に示すように逆向きに行うと、集光用レンズ２１と被照射面との間の距離が変化するために、図２(a)に示す場合とも異なる照射面積Ｓを得ることができる。
【００１５】
ここでは光量調節部材２のハウジング１０への嵌め込みをどちらの向きにするかによって集光用レンズ２１と被照射面との距離（集光用レンズ１３，２１間の距離）を変化させることができるようにしたものを示したが、光量調節部材２のハウジング２０における集光用レンズ２１の位置を調節することができるようにして、照射面積Ｓを変化させることができるようにしてもよいのはもちろんである。
【００１６】
図３に他の実施例を示す。これは投光部１に対して着脱自在な光量調節部材２をハウジング２０と凹フレネルレンズからなる拡散用レンズ２２とで構成したもので、この光量調節部材２を投光部１に装着した際には、図にも示すように、装着しない場合に比して照射面積Ｓが広くなるために、被照射面における単位面積当たりの照射光量が少なくなって、皮膚に照射する光を弱くすることができる。
【００１７】
また、この光量調節部材２においても、集光用レンズ１３と拡散用レンズ２２との間の距離Ｌを変更することができるように拡散用レンズ２２をハウジング２０に取り付けておけば、照射面積Ｓを更に調整することができる。
【００１８】
照射光を弱くするという点では、図４に示すように、投光部１に対して着脱自在としたハウジング２０に光透過率が低い減光フィルター２３を取り付けて光量調節部材２を構成してもよい。この場合、照射面積Ｓは変わらないが、減光フィルター２３による減光で皮膚に照射する光を弱くすることができる。
【図面の簡単な説明】
【００１９】
【図１】本発明の実施の形態の一例を示すもので、(a)は投光部の断面図、(b)は投光部に対して着脱自在な光量調節部材２の断面図である。
【図２】(a)(b)は同上の光量調節部材を投光部に装着した状態の断面図である。
【図３】他の実施例の断面図である。
【図４】更に他の実施例の断面図である。
【符号の説明】
【００２０】
１  投光部
２  光量調節部材
１０  ハウジング
１１  光源
２０  ハウジング
２１  集光用レンズ
【図１】
2010125224.tif 000003
【図２】
2010125224.tif 000004
【図３】
2010125224.tif 000005
【図４】
2010125224.tif 000006